(57)【要約】      （修正有）【課題】プレキャスト構造セグメントを一緒に結合するための継手およびそのような継手を有するプレキャスト構造セグメント。【解決手段】プレハブセグメントを接続するための構造継手は、一対のアンカーを含む。各アンカーは、中央部分と一対の脚とを含む。中央部分は、細長い孔を画定する。一対の脚は、中央部分の両側から延在している。各脚は、細長い孔を略横切る方向に延在し、中央部分に取り付けられた近位端と、中央部分から離れて配置された自由遠位部分とを有する。また、構造継手は、一対のアンカーを一緒に接続するために、一対のアンカーの細長い孔に受け入れられるように適合されたピンを含む。【選択図】なし【特許請求の範囲】
【請求項１】
プレハブセグメントを接続するための構造継手であって、
一対のアンカーであって、各アンカーが、中央部分と、一対の脚とを備え、前記中央部分が、細長い孔を画定し、前記一対の脚が、前記中央部分の両側から延在し、各脚が、前記細長い孔を略横切る方向に延在し、前記中央部分に取り付けられた近位端と、前記中央部分から離れて配設された自由遠位部分とを有する、一対のアンカーと、
前記一対のアンカーを一緒に接続するために、前記一対のアンカーの前記細長い孔に受け入れられるように適合されたピンと、を備える、構造継手。
【請求項２】
各アンカーの各脚が、前記細長い孔を略横切って延在する略平坦な構造を含む、請求項１に記載の構造継手。
【請求項３】
各アンカーの前記一対の脚が、互いに対して一定の角度で延在し、前記角度が、約０度〜約９０度の範囲内である、請求項１〜２のいずれか一項に記載の構造継手。
【請求項４】
各脚の前記自由遠位部分が、前記脚の残りの部分から横方向に離れて延在する舌部を含む、請求項１〜３のいずれか一項に記載の構造継手。
【請求項５】
前記アンカーの各脚が、骨組およびパネルを形成する複数のリブを備える、請求項１〜４のいずれか一項に記載の構造継手。
【請求項６】
前記アンカーのうちの１つ以上が、前記アンカーの前記中央部分の少なくとも一部の周りに延在するフランジを含む、請求項１〜５のいずれか一項に記載の構造継手。
【請求項７】
前記脚が第１の側および第２の側を備え、前記中央部分が突起を備え、前記中央部分の前記突起が前記脚の前記第２の側を越えて延在する、請求項１〜６のいずれか一項に記載の構造継手。
【請求項８】
各アンカーの前記細長い孔が、第１の直径を有する開口と、前記第１の直径よりも小さい第２の直径を有する閉鎖端とを有する盲孔を含む、請求項１〜７のいずれか一項に記載の構造継手。
【請求項９】
前記ピンが、第３の直径部分と、テーパ部分と、第４の直径部分とを備え、前記テーパ部分が、前記第３の直径部分と前記第４の直径部分との間に位置付けられ、前記ピンの前記第３の直径部分が、前記盲孔の前記開口内に受け入れられるようなサイズにされ、前記ピンの前記第４の直径部分が、前記盲孔の前記閉鎖端内に受け入れられるようなサイズにされる、請求項１〜８のいずれか一項に記載の構造継手。
【請求項１０】
各アンカーが、略オメガ形状のアンカーを含む、請求項１〜９のいずれか一項に記載の構造継手。
【請求項１１】
トンネルのリングであって、
半径方向端面を含む複数のリングセグメントであって、各半径方向端面が、一対のアンカーを担持し、対応する凹部を画定し、各アンカーが、細長い孔を画定する、複数のリングセグメントと、
複数のピンであって、各ピンが、前記アンカーのうちの対応する１つの前記細長い孔に受け入れられて、前記一対のアンカーを互いに接続するように適合されている、複数のピンと、を備える、リング。
【請求項１２】
前記アンカーの各々が、中央部分を含み、前記リングセグメントのうちの２つの前記半径方向端面が１つに当接すると、前記リングセグメントのうちの第１のセグメントによって担持される前記アンカーの前記中央部分が、前記リングセグメントのうちの第２のセグメントの前記凹部内に位置付けられる、請求項１１に記載のリング。
【請求項１３】
前記凹部の各々が、半円筒形状を有する、請求項１１または１２のいずれかに記載のリング。
【請求項１４】
各アンカーが、中央部分と一対の脚とを備え、前記中央部分が、細長い孔を画定し、前記一対の脚が、前記中央部分の両側から延在し、各脚が、前記細長い孔を略横切る方向に延在し、前記中央部分に取り付けられた近位端と、前記中央部分から離れて配設された自由遠位部分とを有する、請求項１１、１２または１３のいずれかに記載のリング。
【請求項１５】
前記アンカーのうちの１つ以上が、前記アンカーの前記中央部分の少なくとも一部の周りに延在するフランジを備える、請求項１４に記載の半径方向継手。
【請求項１６】
各アンカーが、略オメガ形状のアンカーを含む、請求項１１、１２、１３、１４、または１５のいずれかに記載のリング。
【請求項１７】
前記リングセグメントの前記半径方向端面が、互いに隣接し、前記リングセグメントが、一緒に結合されると、前記リングセグメントのうちの一方の前記アンカーが、前記リングセグメントの片方の前記凹部内に位置付けられる、請求項１１、１２、１３、１４、１５、または１６のいずれかに記載のリング。
【請求項１８】
脚と、細長い孔を画定する中央部とを有するオメガ型アンカーを担持するプレキャストコンクリートセグメントを形成する方法であって、
前記アンカーをツールに固定することであって、前記ツールが、前記アンカーの前記細長い孔に面する半円筒部分を有する、固定することと、
前記ツールを打設型枠に、またはそれに隣接して結合することと、
コンクリートを前記打設型枠に流し込んで前記コンクリートセグメントを形成することであって、前記コンクリートセグメントが、前記ツールの前記半円筒部分によって形成された凹部を含む、形成することと、
前記ツールを前記アンカーから結合解除することであって、前記アンカーの前記細長い孔が、前記凹部の中に向かって開口する、結合解除することと、を含む、方法。
【請求項１９】
前記アンカーを前記ツールに固定することが、前記アンカーの前記中央部分を前記ツールのアパーチャ内に位置付けることと、前記アパーチャ内で前記中央部分をクランプすることとを含む、請求項１８に記載の方法。
【請求項２０】
前記アンカーを前記ツールに固定することが、前記ツールによって画定された空間内に、前記アンカーのフランジから延在する分離セグメントを位置付けることを含む、請求項１９に記載の方法。
【発明の詳細な説明】
【技術分野】
【０００１】
本開示は、一般に、構造継手に関し、特に、リングセグメント等のプレキャスト構造セグメントを一緒に結合する構造継手、およびそのような継手を有する構造セグメントに関する。
【背景技術】
【０００２】
トンネル、壁、床板、道路等の様々な構造を、プレキャスト建築材料を使用して製造および組み立てることができる。具体的には、トンネルは、形成されるトンネルの軸に沿って互いに隣接する複数のプレキャストリングを組み立てて固定することによって建設することができる。建設されるトンネルのサイズに応じて、そのようなプレキャストリングは、互いに結合された複数のプレキャストアーチ形リングセグメントを各々含むことができる。各リングセグメントは、隣り合うリングセグメントの対応する半径方向端面に係合して半径方向接合部を画定する、対向する半径方向端面を含む。従来の方法では、リングセグメントは、リングセグメント間の相対移動を防止するために、ボルトまたは他の手段によって半径方向の接合部で一緒に結合される必要がある。リングセグメントをボルトで一緒に固定するプロセスは、比較的労働集約的であり、ボルトは腐食しやすい場合がある。
【発明の概要】
【０００３】
第１の例によれば、プレハブセグメントを接続するための構造継手は、一対のアンカーを含む。各アンカーは、中央部分と一対の脚とを含む。中央部分は、細長い孔を画定する。一対の脚は、中央部分の両側から延在する。各脚は、細長い孔を略横切る方向に延在し、中央部分に取り付けられた近位端と、中央部分から離れて配設された自由遠位部分とを有する。また、構造継手は、一対のアンカーを一緒に接続するために、一対のアンカーの細長い孔に受け入れられるように適合されたピンを含む。
【０００４】
第２の例によれば、トンネルのリングは、半径方向の端面を含む複数のリングセグメントを含む。各半径方向端面は、一対のアンカーを担持し、対応する凹部を画定する。各アンカーは、細長い孔を画定する。リングは、複数のピンを含む。各ピンは、アンカーのうちの対応する１つの細長い孔に受け入れられて、一対のアンカーを互いに接続するように適合される。
【０００５】
第３の例によれば、脚と、細長い孔を画定する中央部分とを有するオメガ型アンカーを担持するプレキャストコンクリートセグメントを形成する方法は、アンカーをツールに固定することを含む。ツールは、アンカーの細長い孔に面する半円筒部分を有する。本方法は、ツールを打設型枠に、またはそれに隣接して結合することを含む。本方法は、コンクリートを打設型枠に流し込んでコンクリートセグメントを形成することを含む。コンクリートセグメントが、ツールの半円筒部分によって形成された凹部を含む。本方法は、ツールをアンカーから結合解除することを含む。アンカーの細長い孔は、凹部の中に向かって開口している。
【０００６】
さらに、前述の第１、第２、および／または第３の例によれば、装置および／または方法は、以下のうちのいずれか１つ以上をさらに含み得る。
【０００７】
一例によれば、各アンカーの各脚は、細長い孔を略横切って延在する略平坦な構造を含む。
【０００８】
別の例によれば、各アンカーの一対の脚は、互いに対して一定の角度で延在し、その角度は、約０度〜約９０度の範囲内である。
【０００９】
別の例によれば、各脚の自由遠位部分は、脚の残りの部分から離れて横方向に延在する舌部を含む。
【００１０】
別の例によれば、アンカーの各脚は、骨組みおよびパネルを形成する複数のリブを含む。
【００１１】
別の例によれば、アンカーのうちの１つ以上は、アンカーの中央部分の少なくとも一部分の周りに延在するフランジを含む。
【００１２】
別の例によれば、脚は第１の側および第２の側を有し、中央部分は、突起を含む。中央部分の突起は、脚の第２の側を越えて延在する。
【００１３】
別の例によれば、各アンカーの細長い孔は、第１の直径を有する開口と、第１の直径よりも小さい第２の直径を有する閉鎖端とを有する盲孔を含む。
【００１４】
別の例によれば、ピンは、第３の直径部分と、テーパ部分と、第４の直径部分とを含む。テーパ部分は、第３の直径部分と第４の直径部分との間に位置付けられる。ピンの第３の直径部分は、盲孔の開口内に受け入れられるようなサイズにされ、ピンの第４の直径部分は、盲孔の閉鎖端内に受け入れられるようなサイズにされる。
【００１５】
別の例によれば、各アンカーは略オメガ形状のアンカーを含む。
【００１６】
別の例によれば、各アンカーは中央部分を含み、リングセグメントのうちの２つの半径方向端面が１つに当接すると、リングセグメントのうちの第１のセグメントによって担持されるアンカーの中央部分は、リングセグメントのうちの第２のセグメントの凹部内に位置付けられる。
【００１７】
別の例によれば、各凹部は、半円筒形の形状を有する。
【００１８】
別の例によれば、各アンカーは、中央部分と一対の脚を含む。中央部分は、細長い孔を画定し、一対の脚は、中央部分の両側から延在している。各脚は、細長い孔を略横切る方向に延在し、中央部分に取り付けられた近位端と、中央部分から離れて配設された自由遠位部分とを有する。
【００１９】
別の例によれば、リングセグメントの半径方向端面が、互いに隣接し、リングセグメントが、一緒に結合されると、リングセグメントのうちの一方のアンカーは、リングセグメントの片方の凹部内に位置付けられる。
【００２０】
別の例によれば、アンカーをツールに固定することは、アンカーの中央部分をツールのアパーチャ内に位置付けることと、アパーチャ内で中央部分をクランプすることとを含む。
【００２１】
別の例によれば、アンカーをツールに固定することは、ツールによって画定された空間内に、アンカーのフランジから延在する分離セグメントを位置付けることを含む。
【図面の簡単な説明】
【００２２】
【図１】複数のリングセグメントとキーセグメントとを含む、本開示の教示によるトンネルのリングの等角図である。セグメントは、半径方向接合部で互いに係合してリングの周囲を形成し、半径方向継手を介して互いに結合される。
【図２】図１のリングの半径方向接合部のうちの１つと、関連する半径方向継手との詳細な部分断面図である。
【図３】複数のアンカーおよびピンを含む、図１の半径方向継手のうちの１つの拡大等角図であり、プレキャストコンクリート打設プロセスの後に、複数の分離セグメントがアンカーから取り外されている。
【図４】凹部を画定し、半径方向継手のアンカーのうちの１つを担持する、図１のリングセグメントのうちの１つの詳細な等角図である。
【図５】半径方向継手のうちの１つの断面図であり、リングセグメントを一緒に結合するためにアンカーの孔内に受け入れられたピンを示し、さらに、それぞれのリングセグメント内に埋め込まれたアンカーの脚を示している。
【図６】アンカーのフランジから延在する分離セグメントを含むアンカーのうちの１つの等角図である。
【図７】図６のアンカーの詳細図であり、分離セグメントの複数のノッチを示している。
【図８】開口部を画定するベースを有し、開位置にあるレバーアセンブリを含む固定具の第１の側の等角図であり、さらに、固定具のベースのアパーチャ内に位置付けられたアンカーのうちの１つの中央部分を示している。
【図９】固定具の第２の側の等角図であり、半円筒部分を有し、ベースの表面から間隔を空けたタブを有するホルダを含むベースを示している。半円筒部分は、リングセグメントに凹部を形成するように適合されている。タブとベースの表面との間に形成されたスロットは、固定具に対してアンカーを固定するために、アンカーの分離セグメントを受け入れるように適合されている。
【図１０】図９の固定具およびアンカーの詳細な等角図であり、ホルダ、スロットを形成するタブ、およびアンカーの分離セグメントを示している。
【図１１】固定具の第１の側の等角図であり、閉位置にあるレバーアセンブリと、固定具のベースによって画定されたアパーチャ内にクランプされたアンカーのうちの１つとを示している。
【図１２】固定具の第２の側の等角図であり、レバーアセンブリが閉位置にあり、アンカーの分離セグメントがタブとベースとの間に画定されたスロット内に位置付けられている。
【発明を実施するための形態】
【００２３】
以下の文は、例示的な方法、装置、および／または製造品の詳細な説明を開示しているが、著作権の法的範囲は、本特許の最後に記載される請求項の文言によって定義されることを理解されたい。したがって、以下の詳細な説明は、例示としてのみ解釈されるべきであり、すべての可能な例を説明しておらず、すべての可能な例を説明することは、不可能ではないにしても実用的ではない。現在の技術または本特許の出願日以降に開発された技術のいずれかを使用して、多数の代替例を実装することができる。そのような代替例は、依然として特許請求の範囲内に収まることが想定される。
【００２４】
本明細書で開示される例は、セグメントを一緒に接合するための継手に関する。セグメントは、リングセグメント、トンネルセグメント、建物セグメント等であり得る。継手は、ヒンジ様構造を提供し、セグメントを一緒に結合するときに比較的簡単に位置合わせされる。その結果、従来の方法と比較して、より少ない人力によって、より短い時間でセグメントを組み立てることができる。加えて、継手は、比較的高い引き抜き抵抗と比較的高いせん断抵抗とを提供する。より高い引き抜き抵抗および／またはより高いせん断抵抗を有することは、セグメントによって形成される構造物（例えば、トンネル）の内部圧力が構造物の外部圧力よりも高い環境で、および／または環境が地震事象のリスクを呈するときに、継手が使用される場合に有利であり得る。
【００２５】
図１は、第１の開示された例による、例えば、トンネルのプレキャストされ、事前に組み立てられたリング１００の等角図である。リング１００は、複数の共通リングセグメント１０２と、キーリングセグメント（キーストーン）１０４とを含む。セグメント１０２、１０４は、対向する軸方向端面１０６、１０８および半径方向端面１１０、１１２を含むプレキャストコンクリート形態である。セグメント１０２、１０４は、図１に示される方法で組み立てられたときに、半径方向端面１１０、１１２が互いに当接して、リング１００を画定する真円を形成するように構成されている。リング１００を使用してトンネルを形成するために、複数のリング１００は、それぞれのリング１００の対向する軸方向端面１０６、１０８間に、長手方向接合部を形成するような方法で位置付けられる。従来は、締結具（図示せず）を使用してリングを一緒に結合していた。
【００２６】
ここで、共通リングセグメント１０２およびキーリングセグメント１０４を参照すると、図示の例では、共通リングセグメント１０２は、互いに類似しているかまたは同一であり、キーリングセグメント１０４は、共通リングセグメント１０２よりも短い半径寸法を有する。共通リングセグメント１０２およびキーリングセグメント１０４の半径方向端面１１０が当接する場所に、半径方向接合部１１３が形成される。示された例では、半径方向接合部１１３は、リング１００の半径方向ベクトル１１４に沿って画定されるか、または別様にそれに関連付けられる。代替的には、共通リングセグメント１０２とキーリングセグメント１０４との間の半径方向接合部１１３は、２つの隣接する共通リングセグメント１０２の半径方向端面１１０間の半径方向接合部１１３で画定される角度とは異なる角度で画定されてもよい。
【００２７】
図示の例では、セグメント１０２、１０４は、複数の半径方向継手１１６を介して、半径方向端面１１０、１１２で一緒に結合される。２つの半径方向継手１１６は、半径方向接合部１１３でリングセグメント１０２、１０４を一緒に結合する。しかし、他のバージョンでは、代わりに異なる数の半径方向継手１１６が含まれてもよい。例えば、半径方向接合部１１３の各々は、１つ、３つ、４つ、５つ等の半径方向継手１１６を含み得る。
【００２８】
図２は、図１の半径方向接合部１１３のうちの１つと、１つの関連付けられた半径方向継手１１６との詳細な部分断面図を示し、図３は、半径方向継手１１６を分解斜視図で示す。図３に見られるように、各半径方向継手１１６は、２つのアンカー１２０およびピン１２２を含む。アンカー１２０は、盲孔１２６を画定する中央部分１２４を有し、さらに、中央部分１２４から延在する一対の脚１２８を含む。ピン１２２は、アンカー１２０を一緒に結合するために、孔１２６内に受け入れられるサイズにされる。
【００２９】
再び図２を参照すると、共通リングセグメント１０２のうちの２つの当接している半径方向端面１１０が、半径方向継手１１６のうちの１つを形成するように示され、ここで、ピン１２２はアンカー１２０の孔１２６内に受け入れられる。いくつかの例では、半径方向継手１１６は、約１００キロニュートン〜約４００キロニュートンの引き抜き抵抗と、約１００キロニュートン〜約４００キロニュートンのせん断抵抗とを提供する。引き抜き抵抗は、アンカー１２０に対して、概して矢印１２９で表される方向に加えられる力によって表され、せん断抵抗は、矢印１２９に対して、略反対の方向かつ９０°の方向でアンカー１２０に加えられる力に関連付けられる。
【００３０】
半径方向端面１１０を再び参照すると、図１および図２に示す例では、各半径方向端面１１０は、一対の凹部１３０を含む。凹部１３０は、半円筒形状を有し、以下でさらに説明されるように、ピン１２２と、半径方向継手１１６の中央部分１２４とを受け入れるようなサイズにされる。凹部１３０はまた、以下に説明されるように、リングセグメント１０２、１０４が一緒に結合されている間および／または結合された後に、リングセグメント１０２、１０４間の相対運動を可能にするようなサイズにされる。代替的には、凹部１３０は、半円筒形とは異なる断面および／または形状を有してもよい。
【００３１】
示された例において、図３を特に参照すると、半径方向連結部１１６は、アンカー１２０およびピン１２２を含む（ピン１２２は図３に最も明確に示されている）。アンカー１２０は、互いに実質的に類似しており、半径方向端面１１０に対して垂直な垂直面に沿って実質的に対称である。本例では、アンカー１２０は、略オメガ形状である。しかしながら、アンカー１２０は、異なる形状であってもよい。例えば、アンカー１２０は、Ｕ字形、Ｖ字形、Ｗ字形等であってもよい。
【００３２】
アンカー１２０は、中央部分１２４と一対の脚１２８とを含む（脚１２８は図２および図３に最も明確に示されている）。脚１２８は、アンカー１２０の中心線ＣＬに対して角度αで中央部分１２４の両側から延在している。角度αは、約４５°であってもよい。一例では、脚１２８間で画定される角度は、約４５°〜９０°の間である。しかしながら、約０°〜約９０°の間の任意の角度が意図されている。例えば、脚１２８間で画定される角度は、約３０°、約４０°、約４７°、約６２°、約７０°、約９３°等であってもよい。
【００３３】
再び図２を参照すると、アンカー１２０の脚１２８は、複数の補強リブ１３２と、リブ１３２がそこから延在するパネル１３４とを含む。図示された形態では、リブ１３２は、複数の縦リブ１３６と、縦リブ１３６と交差する複数の横リブ１３８とを含む。図３に示されるように、縦リブ１３６は、アンカー１２０の周りを取り巻き、実質的にオメガ形状を形成する。縦リブ１３６のうちの２つは、アンカー１２０の周囲に沿って配設され、縦リブ１３６のうちの１つは、外側縦リブ１２７間に位置付けられる。
【００３４】
横リブ１３８は、脚１２８の側１４０、１４２間に延在する。また、横リブ１３８は、縦リブ１３６間に延在する。図示されたアンカー１２０には、３つの縦リブ１３６および５つの横リブ１３８が含まれるが（さらなる明瞭さのために図３を参照）、代わりに任意の他の数のリブ１３２が含まれてもよい。例えば、アンカー１２０は、４つの縦リブ１３６と７つの横リブ１３８とを含んでもよい。他のバージョンでは、アンカーにリブがまったく含まれていない場合があるが、むしろ、脚は、フラットパネルを単に含むことができる。
【００３５】
中央部分１２４の第１の部分１４３は、フランジ１４４を含む（フランジは図３に最も明確に示されている）。フランジ１４４は、横リブ１３８のうちの１つによって形成される。図２の例に示されるように、フランジ１４４は、関連するリングセグメント１０２の寸法エンベロープ内に位置付けられる。図６〜図１２に関連して説明するように、固定具１４６（図８参照）によりフランジ１４４を使用して、アンカー１２０がリングセグメント１０２内に埋め込まれるプレキャストコンクリート打設プロセス中に、アンカー１２０を適所に保持することができる。固定具１４６はまた、リングセグメント１０２が形成されるとき、およびアンカー１２０がリングセグメント１０２内に結合されるとき、アンカー１２０がリングセグメント１０２内に整合して位置付けられることを可能にする。
【００３６】
アンカー１２０に戻って参照すると、アンカー１２０の中央部分１２４の第２の部分１４８は、リングセグメント１０２から延在している。半径方向端面１１０によって、および／またはそれらの間で画定される平面は、アンカー１２０の第１および第２の部分１４３、１４８を二分する。したがって、示されている例では、中央部分１２４の約半分が、リングセグメント１０２の寸法エンベロープ内にあり、中央部分１２４の約半分が、リングセグメント１０２の寸法エンベロープの外に延在している。第２の部分１４８をリングセグメント１０２から延在するように位置付けることにより、結合プロセス中に、アンカー１２０の第２の部分１４８が、隣接するリングセグメント１０２の凹部１３０内に収容されることを可能にする。その結果、半径方向端面１１０が互いに隣接し、リングセグメント１０２が、図２に示されるように結合されると、アンカー１２０の中央部分１２４と関連する孔１２６とが、同軸に整列する。
【００３７】
再び図３を参照すると、アンカー１２０およびピン１２２を含む半径方向継手１１６の拡大等角図が示されている。示された例では、アンカー１２０は、複数の分離セグメント１５０を含まない（分離セグメントは、図６に最も明確に示されている）が、これは、分離セグメント１５０がフランジ１４４から切り離されているためである。分離セグメント１５０は、図６〜図１２に関連してさらに説明される。
【００３８】
示された例では、ピン１２２は、中央部分１５２、と、複数のテーパ部１５３と、複数の遠位部分１５４とを有する。テーパ部分１５３は、中央部分１２４と関連する遠位部分１５４との間に位置付けられる。中央部分１２４は、遠位部分１５４よりも大きな直径を有し、遠位部分１５４は、丸い端および／または縁を有する。ピン１２２は、アンカー１２０の孔１２６の複数の直径部分１５６、１５８内に受け入れられるサイズにされる（図５に、孔１２６の直径部分１５６、１５８が最も明確に示されている）。
【００３９】
図３に示すアンカー１２０を参照すると、アンカー１２０の第２の部分１４８は、突起１６２を含み、脚１２８は、内側１６４および外側１６６を含む。内側１６４は、脚１２８の側１４０、１４２の間で比較的滑らかである。リブ１３２は、外側１６６から突出している。また、各脚１２８は、脚１２８から横方向外側に延在する舌部１６８を含む。アンカー１２０がリングセグメント１０２、１０４に埋め込まれると、舌部１６８は、リングセグメント１０２、１０４を形成する材料と相互作用して、アンカー１２０がリングセグメント１０２、１０４から意図せず取り外される可能性を低減する。また、示されるように、フランジ１４４は、アンカー１２０の３つの側面の周りに延在する。具体的には、フランジ１４４は、脚１２８の第１および第２の側１４０、１４２間に、かつ中央部分１２４の突出部１６２の周りに延在する。図６〜図１２に関連して説明するように、固定具１４６（図８参照）によりフランジ１４４を使用して、アンカー１２０がリングセグメント１０２内に埋め込まれるプレキャストコンクリート打設プロセス中に、アンカー１２０を適所に保持することができる。
【００４０】
図４は、凹部１３０を画定し、埋め込まれたアンカー１２０のうちの１つを含むリングセグメント１０２、１０４の１つの半径方向端面１１０の詳細な等角図を示す。図示の例では、アンカー１２０の孔１２６は、凹部１３０の中に開口しており、アンカー１２０の中央部分１２４の第１の部分１４３は、リングセグメント１０２によって受け入れられ、アンカー１２０の中央部分１２４の第２部分１４８は、半径方向端面１１０から延在している。そのように構成されているため、他のリングセグメント１０２、１０４によって担持されるピン１２２およびアンカー１２０は、結合プロセス中に凹部３０内に位置付けられ、凹部３０に沿って移動することが可能である。
【００４１】
図５は、組み立て後の半径方向継手１１６の断面図であり、ピン１２２が、２つのアンカー１２０の孔１２６によって受け入れられていることを示している。ピン１２２の中央部分１５２は、アンカー１２０の孔１２６の第１の直径部分１５６内に位置付けられて示され、ピン１２２の遠位部分１５４は、アンカー１２０の孔１２６の第２の直径部分１５８内に受け入れられて示されている。孔１２６の第１の直径部分１５６は、アンカー１２０の中央部分１２４によって画定され、実質的に脚１２８の側１４０、１４２間に配置され、孔１２６の第２の直径部分１５８は、脚１２８の側１４２を越えて延在する中央部分１２４の突起１６２によって画定される。
【００４２】
示されている例では、アンカー１２０の孔１２６を画定する内面１７０は、先細りしている。内面１７０は、ピン１２２によって係合され、ピン１２２の遠位部分１５４を第２の直径部分１５８内に導き得る。ピン１２２と内面１７０との間に形成される封止は、破損（例えば、腐食等）を引き起こすおそれのある継手および／またはアンカー１２０内の流体（例えば、水）の進入を阻止する。
【００４３】
図６は、アンカー１２０のうちの１つの等角図を示している。図３に示されるアンカー１２０とは対照的に、図６のアンカー１２０は、分離セグメント１５０を含む。図８〜図１２に関連してさらに説明されるように、アンカー１２０を適所に保持するために、プレキャストコンクリート打設プロセス中に分離セグメント１５０が使用される。示される例では、分離セグメント１５０は、アンカー１２０の第１の側１７２およびアンカー１２０の第２の側１７４のフランジ１４４から横方向に延在するが、アンカー１２０の第３の側１７６には位置付けられないタブである。アンカー１２０の第１の側１７２および第２の側１７４の各々に、３つの分離セグメント１５０が含まれるが、代わりに異なる数の分離セグメント１５０が含まれてもよい。異なる数の分離セグメント１５０が含まれる場合、フランジ１４４の部分１８０の幅１７８が変化し得る。例えば、３つの代わりに２つの分離セグメント１５０が含まれる場合、幅１７８は減少し、それに応じてフランジ１４４のテーパ部分１８２の位置も変化し得る。
【００４４】
図７は、図６のアンカー１２０の詳細図を示している。図示の例では、分離セグメント１５０は、複数のノッチ１８４を含む。ノッチ１８４は、Ｖ字形であり、フランジ１４４のすぐ隣に位置付けられる。その結果、フランジ１４４から分離セグメント１３９が取り外されると（フランジ１４４から切り離される）、最小量の分離セグメント１５０（もしあれば）が、フランジ１４４に取り付けられたままになる。
【００４５】
図８は、固定具１４６の第１の側１８６およびアンカー１２０のうちの１つの等角図である。図示の例では、固定具１４６は、ベース１８８と、ベース１８８に結合されたレバーアセンブリ１９０とを含む。ベース１８８は、アパーチャ１９２を画定する。アンカー１２０の中央部分１２４は、アパーチャ１９２内に位置付けられ、アパーチャ１９２を通って延在する。レバーアセンブリ１９０は、ハンドル１９４と、リンク１９６と、ガイド１９８と、ロッド２００と、係合面２０２とを含む。ハンドル１９４は、ロッド２００の遠位端２０４に旋回可能に結合され、リンク１９６にも旋回可能に結合される。リンク１９６は、ガイド１９８の部分２０６に旋回可能に結合されている。ロッド２００は、ガイド１９８内に部分的に配置され、係合面２０２に結合される。
【００４６】
レバーアセンブリ１９１０を作動させるには、ハンドル１９４を、概して矢印２０８で示される方向に動かし、ハンドル１９４をロッド２００およびリンク１９６に対して旋回させ、ロッド２００および係合面２０２を、概して矢印２１０で示される方向に動かす。示されるように、レバーアセンブリ１９０は開位置にあり、アンカー１２０は、アパーチャ１９２を画定するベース１８８の前縁／表面２１２から間隔を置いている。レバーアセンブリ１９０の開位置では、レバーアセンブリ１９０の係合面２０２は、アンカー１２０から離間している。
【００４７】
図９は、固定具１４６の第２の側２１４の等角図である。ベース１８８は、半円筒部分２１６と、タブ２２０を有するホルダ２１８とを含む。半円筒部分２１６は、アンカー１２０の孔１２６に面しており、プレキャストコンクリート打設プロセス中に凹部１３０を形成するように適合されている。タブ２２０は、ベース１８８の表面２２２（図１０により明確に示されている）から間隔を置かれ、レバーアセンブリ１９０が閉位置にあるときに、分離セグメント１５０をタブ２２０の下にスライドさせることが可能である。タブ２２０とベース１８８との間に分離セグメント１５０を位置付けることにより、いったんアンカー１２０が固定具１４６内に固定されると、アンカー１２０が固定具１４６のアパーチャ１９２から、概して矢印２２４で表される方向に移動することを防止する。フランジ１４４は、アパーチャ１９２に隣接するベース１８８の表面２２２と係合して示されている。フランジ１４４とベース１８８との間の相互作用は、アンカー１２０が、矢印２２４によって示される方向とは略反対の方向に向かって、ベース１８８のアパーチャ１９２の中にさらに移動することを防止する。
【００４８】
図１０は、ホルダ２１８、タブ２２０、分離セグメント１５０の詳細な等角図である。複数のスロット２２６は、タブ２２０とベース１８８との間に形成されている。スロット２２６は、アンカー１２０が固定具１４６内に固定され、レバーアセンブリ１９０が閉位置にあるときに、タブ２２０とベース１８８の表面２２２との間で分離セグメント１５０を受け入れることを可能にする。
【００４９】
図１１は、固定具１４６の第１の側１８６およびアンカー１２０のうちの１つの等角図である。図示の例では、レバーアセンブリ１９０は閉位置にあり、ロッド２００および係合面２０２は伸長位置にある。アンカー１２０の中央部分１２４は、レバーアセンブリ１９０の係合面２０２とベース１８８の前面２１２との間にクランプされ、アンカー１２０が、概して矢印２２８、２３０によって表される方向に移動することを防止する。
【００５０】
図１２は、レバーアセンブリ１９０が閉（作動）位置にある状態の固定具１４６の第２の側２１４の等角図である。閉位置では、アンカー１２０は、固定具１４６の半円筒部分２１６に対して押し付けられ、分離セグメント１５０は、ホルダ２１８のタブ２２０の下に位置付けられる。固定具１４６にアンカー１２０が固定された状態で、固定具１４６を打設型枠に結合することができ、コンクリートを打設型枠に注入してリングセグメント１０２を形成することができる。コンクリート打設プロセスの後、固定具１４６は、リングセグメント１０２から取り外され、分離セグメント１５０は、折り取られ（切り離され）、アンカー１２０を固定具１４６から結合解除し、アンカー１２０の孔１２６を、凹部１３０の中に向かって開くことが可能になる。
【００５１】
本開示の継手は、ここまでは、トンネル建設用途で使用するためのリングセグメントの半径方向端面の結合に関連して使用される「半径方向」継手として説明されてきたが、他のバージョンでは、同じ継手を使用して、他のプレハブまたはプレキャスト建材を結合することができる。例えば、継手を使用して、壁や建物の基礎を保持するために垂直に配置されたプレキャストコンクリート壁セクションの、隣接して位置付けられた側面、または床もしくは道路建設のために水平に配置されたプレキャストコンクリート床板の側面を結合することができる。他の用途が可能である。
【００５２】
さらに、いくつかの例が本明細書で開示されたが、任意の例のいかなる特徴も、他の例の他の特徴と組み合わせたり、置き換えたりすることができる。さらに、いくつかの例が本明細書で開示されたが、特許請求の範囲から逸脱することなく、開示された例に変更を加えることができる。
【図１】
2020204251.tif 000002
【図２】
2020204251.tif 000003
【図３】
2020204251.tif 000004
【図４】
2020204251.tif 000005
【図５】
2020204251.tif 000006
【図６】
2020204251.tif 000007
【図７】
2020204251.tif 000008
【図８】
2020204251.tif 000009
【図９】
2020204251.tif 000010
【図１０】
2020204251.tif 000011
【図１１】
2020204251.tif 000012
【図１２】
2020204251.tif 000013